(57)【要約】【課題】  使用者が継続して使用しても飽きが生ずることなく、長期間に亘って継続して使用することができる新規な射精補助具を提供することを目的とする。【解決手段】  人形又はその一部の局部位置に形成された収容凹部内に収容され又は独立して使用される収納容器５と、この収納容器５内に複数収納されるとともに、内側には男性性器の亀頭又は陰茎部と接触する性器接触部及び／又は性器接触面が形成された性器接触部材１１，２１と、を備え、上記各性器接触部材１１，２１は、上記収納容器５内から着脱可能とされてなるとともに該収納容器５内における配置位置が変更可能とされてなるものである。【選択図】        図１
2010119474.tif 000002
【特許請求の範囲】
【請求項１】
人形又はその一部の局部位置に形成された収容凹部内に収容され又は独立して使用される収納容器と、
この収納容器内に複数収納されるとともに、内側には男性性器の亀頭又は陰茎部と接触する性器接触部及び／又は性器接触面が形成された性器接触部材と、を備え、
上記各性器接触部材は、上記収納容器内から着脱可能とされてなるとともに該収納容器内における配置位置が変更可能とされてなることを特徴とする射精補助具。
【請求項２】
前記収納容器内には、前記中空状に成形されてなる単一又は複数のスペーサが収納され、
前記各性器接触部材及び前記スペーサは、前記収納容器内から着脱可能とされてなるとともに、該性器接触部材とスペーサとの配置位置が変更可能とされてなることを特徴とする請求項１記載の射精補助具。
【請求項３】
前記性器接触部材及びスペーサは、前記収納容器内において、該収納容器内に収納された全ての性器接触部材と全てのスペーサとが一体的に、又は単一又は複数の性器接触部材が、若しくは該単一又は複数の性器接触部材が単一又は複数のスペーサと一体的に、該性器接触部材及びスペーサの内側に挿入された男性性器のピストン運動に追随して、該収納容器の長さ方向に移動可能とされてなることを特徴とする請求項１又は２記載の何れかの射精補助具。
【請求項４】
前記収納容器の内側には、円柱状の収納空間が形成されてなるとともに、前記性器接触部材及びスペーサの外形形状は円形状に成形されてなり、該性器接触部材及びスペーサは、この収納容器内において、該性器接触部材及びスペーサの軸心を中心に回動可能とされてなることを特徴とする請求項１，２又は３記載の何れかの射精補助具。
【請求項５】
前記性器接触部材は、形状、原料、男性性器の亀頭又は陰茎部が挿入される空間の大きさの少なくとも何れか一つが相違した複数種類であることを特徴とする請求項１，２，３又は４記載の何れかの射精補助具。
【請求項６】
前記性器接触部材は、樹脂により枠状に成形された枠部材と、この枠部材の内周面に固定され弾性変形可能な柔軟部材とを備え、この柔軟部材の内側には、男性性器が挿入される挿入空間が形成されてなることを特徴とする請求項１，２，３，４又は５記載の何れかの射精補助具。
【請求項７】
前記柔軟部材は、軟質フィルムにより袋状に成形された袋体と、この袋体内に封入されたゲル状材とを備えてなることを特徴とする請求項６記載の射精補助具。
【請求項８】
前記柔軟部材は、軟質樹脂により長方形状に成形された可撓性を有する基材と、この基材の一面側に溶着され軟質フィルムにより袋状に成形された袋体と、この袋体内に封入されたゲル状材とを備えてなるとともに、
前記基材の他面が、前記枠部材の内周面に円弧状に配置されることによって、該柔軟部材の内側に前記男性性器が挿入される挿入空間が形成されてなることを特徴とする請求項６記載の射精補助具。
【請求項９】
前記性器接触部材は、樹脂により枠状に成形された枠部材と、この枠部材の内周面に基端が固定された複数の弾性材と、これらの弾性材の先端にそれぞれ固定され男性性器の亀頭又は陰茎部に接触する接触子とを備えてなることを特徴とする請求項１，２，３，４又は５記載の何れかの射精補助具。
【請求項１０】
前記収納容器内には、前記性器接触部材及びスペーサが収納される収納空間が形成されてなるとともに、該収納容器内であって男性性器の挿入方向前方には、前記収納空間の一部を形成するとともに最も前方に配置された前記性器接触部材又はスペーサの移動を規制する規制部材が配置され、この規制部材は、前記収納容器の長さ方向に移動調節可能とされてなることを特徴とする請求項１，２，３，４，５，６，７，８又は９記載の何れかの射精補助具。
【発明の詳細な説明】
【技術分野】
【０００１】
本発明は、男性性器が挿入されるとともに、射精を誘発する射精補助具に関するものである。
【背景技術】
【０００２】
男性は、女性との性交渉により射精を行う場合が多い。しかし、拘置所の受刑者であったり、感染症その他の疾病が原因で、女性との性交渉が不能であったりする場合、或いは、体外受精などを行う場合等、女性との性交渉における場合以外においても、射精が必要な場合が多い。そこで、従来ではこうした女性との性交渉以外においても射精を誘発し補助する射精補助具が提案され、販売されている。こうした射精補助具としては、例えば、可撓性材質の容器本体と、この容器本体内に充填固着された軟らかい弾性に富んだ材質の充填部材と、この充填部材の略中央部軸方向に前記容器本体の底部に向けて設けられた狭挿部と弛挿部から成る陰茎挿入部と、この陰茎挿入部に塗布させる潤滑剤とにより構成要素とされたものが開示されている（特許文献１参照）。
【特許文献１】実開平７−４４６４９号公報
【発明の開示】
【発明が解決しようとする課題】
【０００３】
しかしながら、上記特許文献１の射精補助具は、男性性器に接触する充填部材（性器接触部材）が、有底筒状に一体成形された状態で容器本体内に充填固着されたものであって、男性性器が接触する充填部材（性器接触部材）の位置関係は常時一定（固定）であることから、使用者が購入した後に飽きが生じ、長期間使用することができず、再度別の射精補助具を新たに購入する必要が生ずるという問題があった。
【０００４】
そこで、本発明は、上述した従来の技術による射精補助具が有する課題を解決するために提案されたものであって、使用者が継続して使用しても飽きが生ずることなく、長期間に亘って継続して使用することができる新規な射精補助具を提供することを目的とする。
【課題を解決するための手段】
【０００５】
上述した目的を達成するため、第１の発明（請求項１記載の発明）に係る射精補助具は、人形又はその一部の局部位置に形成された収容凹部内に収容され又は独立して使用される収納容器と、この収納容器内に複数収納されるとともに、内側には男性性器の亀頭又は陰茎部と接触する性器接触部及び／又は性器接触面が形成された性器接触部材と、を備え、上記各性器接触部材は、上記収納容器内から着脱可能とされてなるとともに該収納容器内における配置位置が変更可能とされてなることを特徴とするものである。
【０００６】
この第１の発明では、上記性器接触部材の内側に形成された性器接触部及び／又は性器接触面が男性性器の亀頭又は陰茎部に接触することにより、該亀頭又は陰茎部が刺激され射精を誘発するばかりではなく、各性器接触部材は、上記収納容器内から着脱可能とされてなるとともに該収納容器内における配置位置が変更可能とされてなることから、収納容器、各性器接触部材をそれぞれ容易に洗浄することができる。したがって、常に清潔な状態で使用することができるばかりか、一つの性器接触部材を取り除いて使用したり、内側に性器接触部が形成された性器接触部材と、内側に性器接触面が形成された性器接触部材との両方が収納されている場合には、該収納容器内における位置を適宜変更して使用することにより、継続して使用しても飽きが生ずることなく、長期間に亘って継続して使用することができる。なお、上記収納容器は、内側に上記複数の性器接触部材がそれぞれ男性性器を挿入可能な状態で収納できる空間が形成されており、且つ、上記性器接触部材が該収納容器から着脱可能（取り外し可能）とされているとともに該収納容器内における配置位置が変更可能とされていれば良く、その外形形状は言うまでもなく、また、上記性器接触部材が収納される内側（内部）の形状に関しても、必ずしも円形状に成形されている必要性はない。また、上記性器接触部材は、内側に男性性器の亀頭又は陰茎部と接触する性器接触部又は性器接触面が形成されたものであれば良く、一体成形されているものは勿論、例えば、枠状に成形された部材と、この部材の内側に上記亀頭又は陰茎部と接触する性器接触部又は性器接触面が形成された部材が固定又は接着されたものであっても良い。さらに、この性器接触部材の外側の形状に関しても、上記収納容器の内側に形成された空間の形状との関係において、該性器接触部材が収納容器内に収納可能で且つ該収納容器に着脱可能な形状であれば良く、例えば、外形形状が円形とされているものばかりではなく、角形状その他の形状とされているものであっても良い。
【０００７】
また、第２の発明（請求項２記載の発明）に係る射精補助具は、上記第１の発明において、前記収納容器内には、前記中空状に成形されてなる単一又は複数のスペーサが収納され、前記各性器接触部材及び前記スペーサは、前記収納容器内から着脱可能とされてなるとともに、該性器接触部材とスペーサとの配置位置が変更可能とされてなることを特徴とするものである。
【０００８】
この第２の発明では、前記性器接触部材の内側に形成された性器接触部又は性器接触面が男性性器の亀頭又は陰茎部に接触することにより、該亀頭又は陰茎部が刺激され射精を誘発するばかりではなく、この発明では、前記収納容器内における性器接触部材とスペーサとの配置位置が変更可能とされてなることから、使用者の嗜好により該性器接触部材とスペーサとの配置位置を任意に変更することにより、さらに飽きることなく長期間に亘って使用することが可能となる。この性器接触部材とスペーサとの配置位置を変更するとは、収納容器内に収納される収納順序を変更することを指し、例えば、３つの同一形状の性器接触部材と、２つのスペーサとが収容されているものであれば、該収納容器の入り口側から、（Ａ）性器接触部材・スペーサ・性器接触部材・スペーサ・性器接触部材、（Ｂ）性器接触部材・スペーサ・性器接触部材・性器接触部材・スペーサ、（Ｃ）性器接触部材・スペーサ・スペーサ・性器接触部材・性器接触部材等、全部で１０種類の使用態様に変更することができる。また、この発明では、各性器接触部材のみならずスペーサも、前記収納容器内から着脱可能とされてなることから、収納容器、性器接触部材、スペーサをそれぞれ容易に洗浄することができ、常に清潔な状態で使用することができる。
【０００９】
なお、前記収納容器は、内側に前記複数の性器接触部材及びスペーサがそれぞれ男性性器を挿入可能な状態で収納できる空間が形成されており、且つ、前記性器接触部材及びスペーサが該収納容器から着脱可能（取り外し可能）とされていれば良く、その外形形状は言うまでもなく、また、前記性器接触部材やスペーサが収納される内側（内部）の形状に関しても、少なくとも該性器接触部材やスペーサを収納することができ且つこれらを着脱することができる形状とされていれば、必ずしも円形状に成形されている必要性はない。また、前記スペーサは、男性性器が挿通可能な中空状に成形されてなるものであれば良く、その外形形状は、前記性器接触部材と同様に、収納容器内に収納可能で且つ該収納容器に着脱可能な形状であれば良い。
【００１０】
また、第３の発明（請求項３記載の発明）に係る射精補助具は、上記第１又は２の発明において、前記性器接触部材及びスペーサは、前記収納容器内において、該収納容器内に収納された全ての性器接触部材と全てのスペーサとが一体的に、又は単一又は複数の性器接触部材が、若しくは該単一又は複数の性器接触部材が単一又は複数のスペーサと一体的に、該性器接触部材及びスペーサの内側に挿入された男性性器のピストン運動に追随して、該収納容器の長さ方向に移動可能とされてなることを特徴とするものである。
【００１１】
この第３の発明では、性器接触部材及びスペーサ内に男性性器が挿入され、ピストン運動がなされると、前述した性器接触部材とスペーサとの様々な配置位置関係により、全ての性器接触部材と全てのスペーサとが一体的に、又は単一又は複数の性器接触部材が、若しくは該単一又は複数の性器接触部材が単一又は複数のスペーサと一体的に、収納容器の長さ方向に移動することから、さらに飽きることなく長期間に亘って使用することが可能となるとともに、より射精を誘発することができる。特に、この射精補助具は、請求項１又は２に記載した通り、各性器接触部材及びスペーサは、前記収納容器内から着脱可能とされてなることから、スペーサや性器接触部材の一部個数を取り除いて使用することも可能であり、こうした場合には、より収納容器の長さ方向への移動範囲を増加させることもでき、さらに多種多様な使用態様を選択して使用することができる。なお、前記移動可能な範囲は、男性性器のピストン動作のストローク範囲が同じである場合には、両者が相対移動されるものでない。すなわち、互いに摺接されず、射精を誘発することができない。したがって、上記移動可能な範囲は、少なくとも、使用者が行うピストン運動のストローク範囲よりも短い範囲とする。なお、こうした移動範囲は、前述したように、性器接触部材やスペーサが収納容器から取り除くことができる射精補助具では、該性器接触部材やスペーサを適宜取り除くことにより、使用者の嗜好に応じてこの移動範囲も適宜変更される。
【００１２】
また、第４の発明（請求項４記載の発明）に係る射精補助具は、上記第１，２又は３の発明の何れかにおいて、前記収納容器の内側には、円柱状の収納空間が形成されてなるとともに、前記性器接触部材及びスペーサの外形形状は円形状に成形されてなり、該性器接触部材及びスペーサは、この収納容器内において、該性器接触部材及びスペーサの軸心を中心に回動可能とされてなることを特徴とするものである。
【００１３】
この第４の発明では、性器接触部材及びスペーサは、この収納容器内において、該性器接触部材及びスペーサの軸心を中心に回動可能とされてなることから、より一層多様な使用状態を実現することができ、さらに飽きることなく長期間に亘って使用することが可能となるとともに、より射精を誘発することができる。特に、これら性器接触部材及びスペーサが、男性性器のピストン運動に追随して、該収納容器の長さ方向に移動可能とされてなるとともに回動可能とされてなるものによれば、該性器接触部材及びスペーサの配置位置の変更と相まって、より一層多様な使用状態を実現することができる。
【００１４】
また、第５の発明（請求項５記載の発明）に係る射精補助具は、上記第１，２，３又は４の発明の何れかにおいて、前記性器接触部材は、形状、原料、男性性器の亀頭又は陰茎部が挿入される空間の大きさの少なくとも何れか一つが相違した複数種類であることを特徴とするものである。
【００１５】
この第５の発明では、前記収納容器内には、形状、原料、男性性器の亀頭又は陰茎部が挿入される空間の大きさの少なくとも何れか一つが相違した複数種類の性器接触部材が収納されてなることから、より一層多彩な使用態様が可能となり、より一層飽きることなく長期間に亘って使用することが可能となるとともに、さらに射精を誘発することができる。
【００１６】
また、第６の発明（請求項６記載の発明）に係る射精補助具は、上記第１，２，３，４又は５の発明の何れかにおいて、前記性器接触部材は、樹脂により枠状に成形された枠部材と、この枠部材の内周面に固定され弾性変形可能な柔軟部材とを備え、この柔軟部材の内側には、男性性器が挿入される挿入空間が形成されてなることを特徴とするものである。
【００１７】
この第６の発明では、男性性器の亀頭や陰茎部に接触する前記性器接触部材は、前記亀頭や陰茎部の損傷を防止するために柔軟性に富んだ素材・材料を使用することが求められるところ、ゲル状の柔軟性に富んだ素材を使用すればするほど、保形性が損なわれ取り扱いに支障が生ずるが、この第６の発明によれば、柔軟部材は枠部材の内周面に固定されていることから、飽きることなく長期間に亘って使用することが可能であるばかりでなく、保形性が損なわれず収納容器内に配置したり取り外したり更には配置位置を変更したりする際における取り扱いにも支障が生ずることはなく、同時に男性性器には該柔軟部材が接触することから、より一層射精を誘発することが可能となる。
【００１８】
また、第７の発明（請求項７記載の発明）に係る射精補助具は、上記第６の発明において、前記柔軟部材は、軟質フィルムにより袋状に成形された袋体と、この袋体内に封入されたゲル状材とを備えてなることを特徴とするものである。
【００１９】
この第７の発明では、軟質フィルムにより袋状に成形された袋体の表面が男性性器に接触するとともに、この袋体内にはゲル状材が封入されていることから、飽きることなく長期間に亘って使用することが可能であるばかりでなく、ゲル状材の形状が保形され取り扱いが簡便となるとともに、より弾力性に富みさらに射精を誘発することが可能となる。
【００２０】
また、第８の発明（請求項８記載の発明）に係る射精補助具は、上記第６の発明において、前記柔軟部材は、軟質樹脂により長方形状に成形された可撓性を有する基材と、この基材の一面側に溶着され軟質フィルムにより袋状に成形された袋体と、この袋体内に封入されたゲル状材とを備えてなるとともに、前記基材の他面が、前記枠部材の内周面に円弧状に配置されることによって、該柔軟部材の内側に前記男性性器が挿入される挿入空間が形成されてなることを特徴とするものである。
【００２１】
この第８の発明では、軟質フィルムにより袋状に成形された袋体の表面が男性性器に接触するとともに、この袋体内にはゲル状材が封入され、前記基材を構成要素とし、この基材の他面が枠部材の内周面に固定されてなることから、飽きることなく長期間に亘って使用することが可能であるばかりでなく、ゲル状材の形状が保形され取り扱いがより簡便となるとともに、より弾力性に富んだ軟質フィルムに男性性器が接触・摺接することから、さらに射精を誘発することが可能となる。
【００２２】
また、第９の発明（請求項９記載の発明）に係る射精補助具は、上記第１，２，３，４又は５の発明の何れかにおいて、前記性器接触部材は、樹脂により枠状に成形された枠部材と、この枠部材の内周面に基端が固定された複数の弾性材と、これらの弾性材の先端にそれぞれ固定され男性性器の亀頭又は陰茎部に接触する接触子とを備えてなることを特徴とするものである。
【００２３】
この第９の発明では、男性性器の亀頭や陰茎部に接触する前記性器接触部材は、前記亀頭や陰茎部の損傷を防止するために柔軟性に富んだ素材・材料を使用することが求められるところ、この第９の発明では、男性性器に接触する部材は、接触子とされてなるとともに該接触子は弾性材により弾性運動することから、飽きることなく長期間に亘って使用することが可能であるばかりでなく、男性性器に損傷を与えることがないとともに、さらに一層射精を誘発することが可能となる。
【００２４】
また、第１０の発明（請求項１０記載の発明）に係る射精補助具は、上記第１，２，３，４，５，６，７，８又は９の発明の何れかにおいて、前記収納容器内には、前記性器接触部材及びスペーサが収納される収納空間が形成されてなるとともに、該収納容器内であって男性性器の挿入方向前方には、前記収納空間の一部を形成するとともに最も前方に配置された前記性器接触部材又はスペーサの移動を規制する規制部材が配置され、この規制部材は、前記収納容器の長さ方向に移動調節可能とされてなることを特徴とするものである。
【００２５】
この第１０の発明に係る射精補助具では、規制部材を移動させることにより、性器接触部材及びスペーサの移動量が調整できることから、男性性器のピストン動作のストローク長に対応することができ、さらに飽きることなく長期間に亘って使用することが可能となるとともに、より射精を誘発することができる。
【発明の効果】
【００２６】
上記第１の発明（請求項１記載の発明）に係る射精補助具では、上記性器接触部材の内側に形成された性器接触部及び／又は性器接触面が男性性器の亀頭又は陰茎部に接触することにより、該亀頭又は陰茎部が刺激され射精を誘発するばかりではなく、各性器接触部材は、上記収納容器内から着脱可能とされてなることから、収納容器、各性器接触部材をそれぞれ容易に洗浄することができ、常に清潔な状態で使用することができる。また、この射精補助具では、上記収納容器内における性器接触部材の配置位置が変更可能とされてなることから、飽きが生ずることなく長期間継続して使用することができる。
【００２７】
また、第２の発明（請求項２記載の発明）に係る射精補助具では、前記性器接触部材の内側に形成された性器接触部又は性器接触面が男性性器の亀頭又は陰茎部に接触することにより、該亀頭又は陰茎部が刺激され射精を誘発するばかりではなく、この発明では、前記収納容器内における性器接触部材とスペーサとの配置位置が変更可能とされてなることから、使用者の嗜好により該性器接触部材とスペーサとの配置位置を任意に変更することにより、さらに飽きることなく長期間に亘って使用することが可能となる。また、この発明では、各性器接触部材のみならずスペーサも、前記収納容器内から着脱可能とされてなることから、収納容器、性器接触部材、スペーサをそれぞれ容易に洗浄することができ、常に清潔な状態で使用することができる。
【００２８】
また、第３の発明（請求項３記載の発明）に係る射精補助具では、性器接触部材及びスペーサ内に男性性器が挿入され、ピストン運動がなされると、前述した性器接触部材とスペーサとの様々な配置位置関係により、全ての性器接触部材と全てのスペーサとが一体的に、又は単一又は複数の性器接触部材が、若しくは該単一又は複数の性器接触部材が単一又は複数のスペーサと一体的に、収納容器の長さ方向に移動することから、さらに飽きることなく長期間に亘って使用することが可能となるとともに、より射精を誘発することができる。特に、この射精補助具は、請求項１又は２に記載した通り、各性器接触部材及びスペーサは、前記収納容器内から着脱可能とされてなることから、スペーサや性器接触部材の一部個数を取り除いて使用することも可能であり、こうした場合には、より収納容器の長さ方向への移動範囲を増加させることもでき、さらに多種多様な使用態様を選択して使用することができる。
【００２９】
また、第４の発明（請求項４記載の発明）に係る射精補助具では、性器接触部材及びスペーサは、この収納容器内において、該性器接触部材及びスペーサの軸心を中心に回動可能とされてなることから、より一層多様な使用状態を実現することができ、さらに飽きることなく長期間に亘って使用することが可能となるとともに、より射精を誘発することができる。特に、これら性器接触部材及びスペーサが、男性性器のピストン運動に追随して、該収納容器の長さ方向に移動可能とされてなるとともに回動可能とされてなるものによれば、該性器接触部材及びスペーサの配置位置の変更と相まって、より一層多様な使用状態を実現することができる。
【００３０】
また、第５の発明（請求項５記載の発明）に係る射精補助具では、前記収納容器内には、形状、原料、男性性器の亀頭又は陰茎部が挿入される空間の大きさの少なくとも何れか一つが相違した複数種類の性器接触部材が収納されてなることから、より一層飽きることなく長期間に亘って使用することが可能となるとともに、より一層多彩な使用態様が可能となり、さらに射精を誘発することができる。
【００３１】
また、第６の発明（請求項６記載の発明）に係る射精補助具では、男性性器の亀頭や陰茎部に接触する前記性器接触部材は、前記亀頭や陰茎部の損傷を防止するために柔軟性に富んだ素材・材料を使用することが求められるところ、ゲル状の柔軟性に富んだ素材を使用すればするほど、保形性が損なわれ取り扱いに支障が生ずるが、この第６の発明によれば、柔軟部材は枠部材の内周面に固定されていることから、飽きることなく長期間に亘って使用することが可能であるばかりでなく、保形性が損なわれず収納容器内に配置したり取り外したり更には配置位置を変更したりする際における取り扱いにも支障が生ずることはなく、同時に男性性器には該柔軟部材が接触することから、より一層射精を誘発することが可能となる。
【００３２】
また、第７の発明（請求項７記載の発明）に係る射精補助具では、軟質フィルムにより袋状に成形された袋体の表面が男性性器に接触するとともに、この袋体内にはゲル状材が封入されていることから、飽きることなく長期間に亘って使用することが可能であるばかりでなく、ゲル状材の形状が保形され取り扱いが簡便となるとともに、より弾力性に富みさらに射精を誘発することが可能となる。
【００３３】
また、第８の発明（請求項８記載の発明）に係る射精補助具では、軟質フィルムにより袋状に成形された袋体の表面が男性性器に接触するとともに、この袋体内にはゲル状材が封入され、前記基材を構成要素とし、この基材の他面が枠部材の内周面に固定されてなることから、飽きることなく長期間に亘って使用することが可能であるばかりでなく、ゲル状材の形状が保形され取り扱いがより簡便となるとともに、より弾力性に富んだ軟質フィルムに男性性器が接触・摺接することから、さらに射精を誘発することが可能となる。
【００３４】
また、第９の発明（請求項９記載の発明）に係る射精補助具では、男性性器の亀頭や陰茎部に接触する前記性器接触部材は、前記亀頭や陰茎部の損傷を防止するために柔軟性に富んだ素材・材料を使用することが求められるところ、この第９の発明では、男性性器に接触する部材は、接触子とされてなるとともに該接触子は弾性材により弾性運動することから、飽きることなく長期間に亘って使用することが可能であるばかりでなく、男性性器に損傷を与えることがないとともに、さらに一層射精を誘発することが可能となる。
【００３５】
また、第１０の発明（請求項１０記載の発明）に係る射精補助具では規制部材を移動させることにより、性器接触部材及びスペーサの移動量が調整できることから、男性性器のピストン動作のストローク長に対応することができ、さらに飽きることなく長期間に亘って使用することが可能となるとともに、より射精を誘発することができる。
【発明を実施するための最良の形態】
【００３６】
以下、本発明を実施するための射精補助具に係る最良の形態について図面を参照しながら詳細に説明する。
【００３７】
この実施の形態に係る射精補助具１は、図１又は図２に示すように、外側収納容器４と、この外側収納容器４の内側に収納されてなる内側収納容器５と、この内側収納容器５に形成された収納空間８内に収納され図示しない男性性器の亀頭又は陰茎部と接触する４個の柔軟接触部材１１及び１個の弾性接触部材２１と、前記収納空間８内に収納され中空状に成形された４個のスペーサ２９と、最も前方側（図２に示す射精補助具１の左方側）に配置されてなり前記柔軟接触部材１１、弾性接触部材２１又はスペーサ２９の移動範囲を調節する規制部材６と、この規制部材６内に装着され男性性器の亀頭の先端が当接する当接部材３２とを備えている。
【００３８】
この射精補助具１は、上記外側収納容器４が、図示しない女性の人形又はその人形の腰周辺を模った模造品であって女性の局部位置に収容され、若しくは、該射精補助具１単体で使用されるものである。そして、この射精補助具１を構成する上記外側収納容器４は、樹脂により一体成形されてなるものであって、図１又は図２に示すように、一端には開口（符号は省略する。）が形成され、他端は有底とされた円筒状に一体成形されてなるものである。また、この外側収納容器４は、図４（ａ）に示すように、筒部４ａと底部４ｂとを有し、上記開口が形成された筒部４ａの一端側外周には、外側に膨出したリング状鍔部（フランジ部）４ｄが形成されている。したがって、この外側収納容器４の一端面（正面）４ｃは、該外側収納容器４の中途部における正断面面積よりも若干広い面積を有している。また、この外側収納容器４の一端面（正面）４ｃの内側であって、それぞれ対向する部位には、後述する内側収納容器５に形成された突設片５ｄ，５ｄが上記リング状鍔部（フランジ部）４ｄの内側に挿通される切欠き４ｇ，４ｇが形成され、さらに、該外側収納容器４の内周には、上記切欠き４ｇ，４ｇと連通してなるとともに上記突設片５ｄ，５ｄが掛止される掛止溝４ｆ，４ｆ（図示は１箇所）が形成されている。これらの掛止溝４ｆ，４ｆは、上記切欠き４ｇ，４ｇの形成位置から該外側収納容器４の一端面（正面）４ｃ側から見て時計回り方向に長さを有するものである。すなわち、上記各切欠き４ｇ，４ｇは、後述する突設片５ｄ，５ｄを上記各掛止溝４ｆ，４ｆに導き又は各掛止溝４ｆ，４ｆ内の突設片５ｄ，５ｄをこの外側収納容器４内から外側に導くものである。
【００３９】
また、上記内側収納容器５は、図２に示すように、上記外側収納容器４内に収納されてなるものであり、図１又は図４（ｂ）に示すように、樹脂により筒部５ａを有した円筒状に一体成形されている。そして、この内側収納容器５の図示しない男性性器が挿入される一端には、該内側収納容器５の筒部５ａの外側に膨出してなるとともに、内側に一体的に膨出してなるフランジ部５ｂがリング状に形成されている。なお、上記フランジ部５ｂの外径は、上記外側収納容器４に形成されたリング状鍔部（フランジ部）４ｄの外径と等しいものとされている。そして、この内側収納容器５の一端側中途部の外側には、上記各切欠き４ｇ，４ｇに挿通される突設片５ｄ，５ｄがそれぞれ突設されている。したがって、図１に示す状態において、この内側収納容器５は、該内側収納容器５を上記外側収納容器４内に収納し装着する場合においては、この内側収納容器５の他端側を上記外側収納容器４の一端面（正面）４ｃ側から内部に挿入するとともに、上記各突設片５ｄ，５ｄを各切欠き４ｇ，４ｇに挿通し、その後にこの内側収納容器５を時計回り方向に回転操作させる（又は、上記外側収納容器４を反時計回り方向に回転操作させる）ことにより、各突設片５ｄ，５ｄは、上記各掛止溝４ｆ、４ｆ内に挿入される。すなわち、この内側収納容器５は、こうした操作により上記外側収納容器４内に装着された状態においては、外側収納容器４から抜ける方向に力が作用しても抜け出てしまうことがない。
【００４０】
また、この内側収納容器５の他端側（前端面５ｇ側）の内周には、後述する規制部材６と螺合可能な雌ねじ５ｆが形成されている。そして、この雌ねじ５ｆには、上記規制部材６が螺合されている。この規制部材６は、樹脂により一体成形されてなるものであり、図１又は図４（ｃ）に示すように、円筒状に成形された第１の筒部６ｂと、手指でこの規制部材６を回動操作するための摘みとして機能する第２の筒部６ｃと、これら第１の筒部６ｂと第２の筒部６ｃとの間に形成されてなり、外側に膨出してなる円環状凸部６ｅとを備えている。上記円環状凸部６ｅは、この規制部材６の他端側（前端面６ｈ側）中途部に形成されており、該円環状凸部６ｅの外径は、前記外側収納容器４の内径よりも僅かに小さい寸法となされているとともに上記内側収納容器５の内径よりも大きい寸法となされている。さらに、この規制部材６の外周であって、上記円環状凸部６ｅの形成位置よりも一端側（後端面６ｇ側）には、上記内側収納容器５に形成された雌ねじ５ｆと螺合される雄ねじ６ｆが形成されている。また、この規制部材６の内周には、後述する基板３１又は案内筒３６と螺合可能な雌ねじ６ｉが、前端面６ｈ側から反対側の後端面６ｇ近傍の間に螺刻されている。
【００４１】
したがって、この規制部材６は、上記内側収納容器５の前端面５ｇ側から上記第１の筒部６ｂを挿入するとともに、雄ねじ６ｆを該内側収納容器５の内周に形成された雌ねじ５ｆに螺合するよう回転操作し螺進させることにより、図２に示すように、上記円環状凸部６ｅの正面が内側収納容器５の前端面５ｇに当接する。なお、このように規制部材６が上記内側収納容器５に装着された際に、該規制部材６の後端面６ｇから前記フランジ部５ｂの小径側背面までの間に形成された空間が、後に詳細に説明する柔軟接触部材１１，弾性接触部材２１及びスペーサ２９が任意に収納される収納空間８である。したがって、こうした収納空間８は、後述するように、上記内側収納容器５に形成された雌ねじ５ｆとこの規制部材６に形成された雄ねじ６ｆとの螺合状態を調節することにより、僅かに調節することができ、柔軟接触部材１１，弾性接触部材２１及びスペーサ２９の移動量を変更することができる。
【００４２】
そこで、以下、柔軟接触部材１１，弾性接触部材２１及びスペーサ２９について詳細に説明する。これら柔軟接触部材１１と弾性接触部材２１は、この実施の形態においては、図２に示すように、内径及び幅の等しい４個の柔軟接触部材１１と１個の弾性接触部材２１と幅の等しい４個のスペーサ２９とが、上記内側収納容器５内にそれぞれ着脱可能に且つそれぞれの配置位置が変更可能に収納されている。そして、上記各柔軟接触部材１１は、図５（ｂ），（ｃ）に示すように、樹脂により円環状に一体成形された装着リング１２と、この装着リング１２の内周面１２ａに固定された弾性変形可能な柔軟部材１３とからなり、該柔軟部材１３の内側には、男性性器が挿入される内径の挿入空間１７が形成されている。上記装着リング１２の外径は、上記規制部材６の第１の筒部６ｂの外径（雄ねじ６ｆの部分を除く）とほぼ同じ寸法となされている。したがって、上記各柔軟接触部材１１は、上記規制部材６を内側収納容器５から取り外すことによって該内側収納容器５内から取り外すことができるとともに、該内側収納容器５内において回動自在でかつ軸方向に移動自在とされている。
【００４３】
また、各柔軟部材１３は、図５（ａ）に示すように、可撓性を有する軟質樹脂により長方形状に成形された板状の基材１４と、この基材１４の側面に溶着され軟質で薄膜のフィルムにより袋状に成形された袋体１５と、この袋体１５内に封入されたゲル状のゲル状材１６とからなる直方体にそれぞれ成形されている。この直方体に成形された各柔軟部材１３は、図５（ｂ）又は（ｃ）に示すように、各基材１４の外周面１４ａを外側にして円弧状にそれぞれ湾曲され、湾曲された外周面１４ａが上記装着リング１２の内周面１２ａにそれぞれ接着されている。そして、各柔軟接触部材１１を構成する柔軟部材１３は、直方体に成形された形状から、袋体１５を内周側にして円弧状にそれぞれ湾曲されてなることから、各袋体１５の表面には多数の皺（符号は省略する）が形成され、これら多数の皺により、男性性器の亀頭又は陰茎部と接触する性器接触部（符号は省略する）に多数の柔軟な凹凸部（符号は省略する）が形成されている。なお、基材１４の素材は軟質のポリウレタンであり、上記袋体１５の素材は薄膜フィルム状の熱可塑性ポリウレタンである。また、上記ゲル状材１６はポリウレタンを素材としてゲル化したのである。上記袋体１５の図示厚みについては、明瞭化のために過大表示したものであって、本実施の形態においては、０．０１ｍｍないし０．０３ｍｍの薄膜フィルムである。
【００４４】
また、上記弾性接触部材２１は、図６（ａ），（ｂ）に示すように、樹脂により内側収納容器５の内周に挿入可能な外径の円環状に成形された装着リング２２と、この装着リング２２の内周面２２ａに基端部が固定された１２個の弾性材２３と、これらの弾性材２３の先端にそれぞれ固定され男性性器の亀頭又は陰茎部に接触する樹脂製の接触子２４とをそれぞれ備え、これら接触子２４の先端内側に男性性器が挿入される内径の挿入空間２５が形成されている。上記装着リング２２は、外径が内側収納容器５内に着脱可能であるとともに、回動自在かつ軸方向に移動自在に成形されてなり、内周面２２ａ内には、等分な１２箇所に植設穴（凹部）２２ｂが形成されている。また、各弾性材２３は、金属線材により基端部を固定位置として弾性変形可能な螺旋状に形成され、装着リング２２の植設穴（凹部）２２ｂ内に基端部が植設されるとともに、装着リング２２の中心方向に向かってそれぞれ配置されている。また、各接触子２４は、先端部が半球状の円柱状にそれぞれ形成され、基端部が弾性材２３の先端に固定されている。そして、上記弾性接触部材２１は、各接触子２４が、装着リング２２の内周に植設された各弾性材２３の先端にそれぞれ固定されてなることから、該各接触子２４の先端に男性性器の亀頭又は陰茎部が接触することにより、該各接触子２４は、各弾性材２３の弾性作用によりそれぞれ揺動される。なお、弾性材２３は、螺旋形状に限定されるものではなく、例えば、直線状の弾性材あっても良い。
【００４５】
また、上記スペーサ２９は、上記柔軟接触部材１１、弾性接触部材２１とともに収納空間８内に収納されてなり、図２に示すように、内側収納容器５の内周にそれぞれ挿入可能な外径と、少なくとも男性性器を挿入可能な内径とをそれぞれ有し、内側収納容器５内に着脱可能であるとともに、回動自在かつ軸方向に移動自在に樹脂により円環状にそれぞれ成形されている。そして、前記収納空間８内には、最も前方側の弾性接触部材２１と、４個の柔軟接触部材１１と、これらの間に介挿された４個のスペーサ２９とがそれぞれ挿入されている。これら弾性接触部材２１、４個の柔軟接触部材１１及び４個のスペーサ２９の各幅は、前記規制部材６の円環状凸部６ｅが内側収納容器５の前端面５ｇに当接した状態において（図２参照）、該弾性接触部材２１、４個の柔軟接触部材１１及び４個のスペーサ２９が、前記収納空間８内に最小の隙間Ｓを有して挿入可能な幅に形成されている。この収納空間８に形成される隙間Ｓの量は、前記規制部材６を回動させ該規制部材６の後端面６ｇの位置を軸方向に進退移動させることにより調節することができるので、後述する４個の柔軟接触部材１１及び弾性接触部材２１と４個のスペーサ２９との軸方向（長手方向）への移動量を調節することができる。また、規制部材６の前進端位置（すなわち、隙間Ｓが最小となる位置）は、該規制部材６の鍔部６ｅが前記内側収納容器５の前端面５ｇに当接することにより規制される。なお、収納空間８の隙間Ｓは、図２の右寄りの１箇所に図示したが、必ずしも１箇所に形成されるものではなく、複数個所に分散して形成されることもある。
【００４６】
したがって、上記４個の柔軟接触部材１１及び弾性接触部材２１と４個のスペーサ２９とは、上記収納空間８内において軸方向に移動自在であることから、該４個の柔軟接触部材１１及び弾性接触部材２１と４個のスペーサ２９の内側に挿入された男性性器のピストン運動に追随して、内側収納容器５の長さ方向に移動可能である。その移動の態様は様々であって、例えば、該収納空間８内に収納された全ての柔軟接触部材１１及び弾性接触部材２１と全てのスペーサ２９とが一体的に、又は単一又は複数の柔軟接触部材１１及び／又は弾性接触部材２１が、若しくは該単一又は複数の柔軟接触部材１１及び／又は弾性接触部材２１が単一又は複数のスペーサ２９と一体的に移動される。また、上記４個の柔軟接触部材１１，弾性接触部材２１，４個のスペーサ２９の移動量は、上記収納空間８内に形成される隙間Ｓの量が調節可能であることから、その移動量（収納空間８内の隙間Ｓの量）を使用者の嗜好に応じて調節することができる。また、上記柔軟接触部材１１、弾性接触部材２１及びスペーサ２９は、図２に示す配置に限定されるものではなく、後述するように、配置順序、使用個数等を使用者の嗜好に応じて適宜選択的に組み合わせを替えて使用することができるとともに、前記収納空間８内における移動量についても、柔軟接触部材１１、弾性接触部材２１、スペーサ２９の組み合わせを替えるか、又は前記規制部材６の進退移動量により調節することができる。
【００４７】
また、図６（ｃ），（ｄ）に示す弾性接触部材２６は、上記弾性接触部材２１の他の例を示すものであり、前記弾性接触部材２１の１２個の弾性材２３と、該１２個の弾性材２３にそれぞれ固定された接触子２４とが装着リング２７の幅方向に２列（多重）に配置され、前記接触子２４の先端内側に男性性器が挿入される内径の挿入空間２８が形成されている。この弾性接触部材２６は、前記弾性接触部材２１よりも男性性器に接触する部分が増加されたものであるが、構成は前記弾性接触部材２１と同様であるため詳細な説明は省略する。また、装着リング２７は、樹脂により円環状に成形され、外径が内側収納容器５の収納空間８内に着脱可能であるとともに、回動自在かつ軸方向に移動自在に成形されている。
【００４８】
次に、前記内側収納容器５の前方側（図２に示す左方側）に配置された当接部材３２は、内側収納容器５内に挿入された男性性器の亀頭の先端が当接する部材であって、前記規制部材６に螺合された基板３１に配置されている。この基板３１は、図７（ａ），（ｂ）に示すように、円板状に成形された外周に規制部材６の雌ねじ６ｉと螺合可能な雄ねじ３１ａが螺刻され、前面３１ｂには図示しない手指の先端が係合可能な４個の操作穴３１ｃが形成されている。そして、これら操作穴３１ｃの反対側の後面３１ｅには、当接部材３２が接着されてなり、操作穴３１ｃに手指の先端を係合して回動させることにより、前記当接部材３２は、該基板３１と一体的に前記規制部材６内の軸方向に進退移動される。また、当接部材３２は、図７（ｂ）に示すように、軟質で薄膜のフィルムにより袋状に成形された袋体３３と、この袋体３３に封入されたゲル状のゲル状材３４とからなり、袋体３３の形状は、内側収納容器５内に挿入された男性性器の亀頭と対向すべく突出した半球体に成形されてなり、その平坦面（符号は省略する）が基板３１の後面３１ｅに接着されている。なお、当接部材３２を軸方向に進退移動させる手段は、上記規制部材６と基板３１との螺合によるものに限定されるものではなく、例えば、上記規制部材６にスライドガイド部を設け、上記基板３１には、スライドガイド部に案内される被ガイド部を設けることにより該基板３１を軸方向に移動可能としても良い。
【００４９】
そして、前記基板３１に接着されてなる当接部材３２は、図２に示すように、前記基板３１の操作穴３１ｃに手指の先端を係合して回動させることにより軸方向（長手方向）に前進又は後退（螺進又は螺退）させて、使用者の所望する前記亀頭の当接位置に移動調節することができる。したがって、この基板３１に接着された当接部材３２は、予め調節された位置において、内側収納容器５内に挿入された男性性器の亀頭の先端が当接すると、その当接力により柔軟に変形するとともに、該当接部材３２が半球体に成形されているので、亀頭の接触位置は該亀頭の先端部に限定されることなく先端近傍の側部にも接触される。なお、袋体３３の素材は薄膜フィルム状の熱可塑性ポリウレタンが使用され、ゲル状材３４はポリウレタンを素材としてゲル化したのである。また、図７（ｂ）に示す袋体３３の図示厚みについては、明瞭化のために過大表示したものであって、本実施の形態においては、０．０１ｍｍないし０．０３ｍｍの薄膜フィルムを使用した。
【００５０】
次に、他の実施の形態に係る射精補助具１０について説明する。
【００５１】
この他の実施の形態に係る射精補助具１０は、図３に示すように、外側収納容器４と、この外側収納容器４の内側に収納されてなる内側収納容器５と、この内側収納容器５に形成された収納空間８内に収納され図示しない男性性器の亀頭又は陰茎部と接触する４個の柔軟接触部材１１及び１個の弾性接触部材２６（又は弾性接触部材２１）と、前記収納空間８内に収納され中空状に成形された４個のスペーサ２９と、最も前方側（図３に示す射精補助具１０の左方側）に配置されてなり前記柔軟接触部材１１、弾性接触部材２１（又は弾性接触部材２１）又はスペーサ２９の移動範囲を調節する規制部材６と、この規制部材６内に螺合された案内筒３６と、この案内筒３６内に配置されたコイルばね３８及び基板４１と、この基板４１に取付けられるとともに前記内側収納容器５の男性性器の挿入方向前方に配置され男性性器の亀頭の先端が当接する当接部材３２とにより構成されている。なお、この他の実施の形態に係る射精補助具１０の構成要素のうち、外側収納容器４、内側収納容器５、４個の柔軟接触部材１１、１個の弾性接触部材２６（又は弾性接触部材２１）、４個のスペーサ２９及び規制部材６は、上述した実施の形態に係る射精補助具１の構成と同一であることから、同一の符号を付して詳細な説明は省略する。
【００５２】
そして、図３に示す前記規制部材６内に螺合された案内筒３６は、樹脂により一体成形されてなるものであって、図８（ａ），（ｂ）に示すように、有底円筒状に成形された筒部３６ｄの外周に規制部材６の雌ねじ６ｉと螺合可能な雄ねじ３６ａが螺刻され、前面３６ｂ側には底部３６ｅが形成されている。この底部３６ｅの内側には、後述するコイルばね３８のばね座となる円形凹状のばね挿入溝３６ｆが形成されているとともに、外側には、図示しない手指の先端が係合可能な４個の操作穴３６ｇ，３６ｇ，３６ｇ，３６ｇが形成されている。また、この案内筒３６の後面３６ｃ側（開口側）には、内周から内側に膨出した内鍔部３６ｉが形成されるとともに、該内鍔部３６ｉの対向する２箇所には切欠き３６ｊ，３６ｊが、後述する基板４１を後端面３６ｃに対して直角に挿通可能な該基板４１よりも大きな幅と内径とを有して形成されている。この案内筒３６内の後方側（図３に示す射精補助具１０の右方側）には、前記基板４１が配置されている。
【００５３】
この基板４１は、図８（ｄ）に示すように、樹脂により一端開口の皿状に成形され、この開口側には、該基板４１を後方側（図３に示す射精補助具１０の右方側）へ付勢する後述のコイルばね３８のばね座となるばね挿入穴４１ａが形成されている。この基板４１の外径は、前記案内筒３６内に挿入可能かつ軸方向に進退移動可能に形成されるとともに、幅は、前記案内筒３６の切欠き３６ｊ，３６ｊ内に挿通可能に形成されてなり、後面４１ｂに前記当接部材３２が接着されている。なお、この当接部材３２の構成は、上述した実施の形態に係る射精補助具１の基板３１に接着されたものと同一の構成であることから、繰返し説明することは省略する。この基板４１と前記案内筒３６の底部３６ｅとの間には、図３に示すように、コイルばね３８が介挿されている。このコイルばね３８は、案内筒３６の内鍔部３６ｉの内周よりも小径でなる円筒状に成形され、当接部材３２が男性性器のピストン運動に追随して往復移動可能な弾性力を有して前記基板４１を付勢すべく、前端（図示の左側）が案内筒３６のばね挿入溝３６ｆに着座されるとともに、後端（図示の右側）が基板４１のばね挿入穴４１ａに着座されている。
【００５４】
ところで、案内筒３６内に前記コイルばね３８及び基板４１を装着する手順は、図３又は図８に示すように、案内筒３６の後方側（後面３６ｃ側）からコイルばね３８を挿入し、その前端をばね挿入溝３６ｆに着座させる。その後、図８（ｄ）に示す当接部材３２が接着された基板４１を、図８（ａ）に示す後端面３６ｃに対して直角方向に対向させるとともに、該基板４１の前面４１ｃと後面４１ｂとを図８（ｂ）に示す２箇所の切欠き３６ｊ，３６ｊ内に摺接させて挿入する。さらに（以下、図示は省略する）、該基板４１の外周によりコイルばね３８を前方側へ押圧しつつ案内筒３６内に該基板４１を挿入し、該基板４１の外周が切欠き３６ｊ，３６ｊよりも内側に挿通された状態において、該基板４１に接着された当接部材３２が射精補助具１０の入り口に対向すべく該基板４１を約９０度転回させる。そして、図３に示すように、コイルばね３８の後端を該基板４１の挿入穴４１ａに着座させることにより該基板４１が内鍔部３６ｉ（図８（ａ）参照））に当接し、該基板４１はコイルばね３８により男性性器の挿入方向とは逆方向に付勢される。
【００５５】
したがって、基板４１に接着された当接部材３２は、内側収納容器５内に挿入された男性性器の亀頭の先端が当接すると、その当接力により該当接部材３２は柔軟に変形し、前記亀頭がさらに前進すると、該当接部材３２は、コイルばね３８の弾性力に抗して前記亀頭に接触した状態を維持しながら前進するとともに、前記亀頭が後退する場合にも、前記亀頭に接触した状態を維持しながら後退することができる。また、前記亀頭の先端が当接部材３２に当接するまでの距離（図３に示す射精補助具１０の入り口から当接部材３２までの距離）は、案内筒３６の操作穴３６ｇに手指の先端を係合して回動させることにより該案内筒３６を前進又は後退させて、使用者の所望する位置に調節することができる。なお、上記案内筒３６は、筒部３６ｄと底部３６ｅとが一体成形されているものには限定されず、例えば、筒部３６ｄと底部３６ｅとを独立して成形するとともに、底部３６ｅの外周と筒部３６ｄの内周とを螺合させ、底部３６ｅを軸方向に進退移動させることによりコイルばね３８の弾性力（すなわち、前記亀頭の先端が当接部材３２に当接する際の当接力）を調節することができる。
【００５６】
次に、上述した実施の形態の射精補助具１及び他の実施の形態の射精補助具１０以外の使用例について説明する。
【００５７】
上述した実施の形態の図１，図２，図３に示す射精補助具１，１０は本発明の一部の実施態様を示すものであって、本発明は、上述した各構成要素の組み合わせ、配置順序、使用個数等を使用者の嗜好に応じて適宜変更することにより多様な実施態様を選択的に構成して使用することができる。例えば、上記収納空間８内の構成については、複数個の柔軟接触部材１１を異なる内径に形成するとともに、これらの組み合わせ順序を選択することができ、また、柔軟接触部材１１，弾性接触部材２１，２６，スペーサ２９等の使用個数や配置順序を変更することにより隣接する前記各構成要素同士の間隔及び／又は前記各構成要素の収納空間８内における移動量を選択することがで、さらには、弾性接触部材２１及び／又は２６の何れかを選択して収納空間８内における配置順序を変更することができるとともに、これらの組み合わせを変更することができる。
【００５８】
また、この収納空間８の前方側に配置された規制部材６内の構成については、図２に示す基板３１に接着された当接部材３２、又は図３に示す基板４１に接着された当接部材３２の何れかを選択できるとともに、前記収納空間８内の各実施態様のうちの何れかとの組み合わせを選択することができる。以下、これらのうちから抽出した第３ないし第５の使用例について、図９，図１０を参照して説明する。なお、第３ないし第５の使用例に係る各構成要素は、上述した実施の形態に係る射精補助具１，１０の各構成要素と同一であることから、これらの構成要素には、同一の符号を付して詳細な説明は省略するとともに、同一の構成要素に係る異なるサイズの表示はローマ字を逐次付記して区別をする。
【００５９】
図９（ａ）は、第３の使用例に係る射精補助具２０を示し、収納空間８内には、該収納空間８の入り口側から前方側へ順に内径の異なる４個の柔軟接触部材１１Ａ，１１Ｂ，１１Ｃ，１１Ｃがそれぞれ配置され、その前方には弾性接触部材２６が配置され、これらの間には等しい幅の４個のスペーサ２９Ａ，２９Ａ，２９Ａ，２９Ａがそれぞれ配置されるとともに、内側収納容器５内に螺合された規制部材６の回動による移動調節により隙間Ｓａが形成されている。これらのうち、４個の柔軟接触部材１１Ａ，１１Ｂ，１１Ｃ，１１Ｃの男性性器に接触する柔軟部材１３Ａ，１３Ｂ，１３Ｃ，１３Ｃの各内径ｄａ，ｄｂ，ｄｃ，ｄｃは、収納空間８の入り口側から前方側へ順にｄａ＞ｄｂ＞ｄｃ＝ｄｃでなり、男性性器が挿入方向前方に進むに従い男性性器の亀頭又は陰茎部への接触力が増加されるようになっている。なお、収納空間８の隙間Ｓａは、図中の１箇所に図示したが、必ずしも１箇所に形成されるものではなく、複数個所に分散して形成されることもある。また、この収納空間８内の最も前方側に配置された弾性接触部材２６は、内周に埋設された１２個の弾性材２３にそれぞれ固定された接触子２４が２列に配置され（図６（ｃ），（ｄ）参照）、男性性器に接触する部分が２４箇所となられたものである。また、前記収納空間８の前方の規制部材６内には基板３１が螺合され、該基板３１の回動により、該基板３１の後面側に接着された当接部材３２が、前記亀頭と当接可能な当接位置に移動調節されている。
【００６０】
次に、図９（ｂ）は、第４の使用例に係る射精補助具３０を示し、収納空間８内には、該収納空間８の入り口側から前方側へ順に内径の異なる３個の柔軟接触部材１１Ａ，１１Ｂ，１１Ｃがそれぞれ配置され、その前方には弾性接触部材２１が配置され、柔軟接触部材１１Ａ，１１Ｂの間には等しい幅の２個のスペーサ２９Ａ，２９Ａが、柔軟接触部材１１Ｂ，１１Ｃの間にはスペーサ２９Ａが、また、柔軟接触部材１１Ｃと弾性接触部材２１との間には前記スペーサ２９Ａよりも幅の広いスペーサ２９Ｂがそれぞれ配置されるとともに、内側収納容器５内に螺合された規制部材６の回動による移動調節により隙間Ｓｂ及びＳｃが形成されている。これらのうち、３個の柔軟接触部材１１Ａ，１１Ｂ，１１Ｃの男性性器に接触する柔軟部材１３Ａ，１３Ｂ，１３Ｃの各内径ｄａ〜ｄｃは、収納空間８の入り口側から前方側へ順にｄａ＞ｄｂ＞ｄｃでなり、男性性器が挿入方向前方に進むに従い男性性器の亀頭又は陰茎部への接触力が増加されるようになっている。
【００６１】
なお、収納空間８の隙間Ｓｂは、上記第３の使用例の隙間Ｓａと略同一に設定するとともに、隙間Ｓｃは隙間Ｓｂの約２倍に設定した例であって、図中の２箇所に図示したが、必ずしも２箇所に形成されるものではなく、１箇所又は多数個所に分散して形成されることもある。また、この収納空間８内の最も前方側に配置された弾性接触部材２１は、内周に埋設された１２個の弾性材２３にそれぞれ固定された接触子２４が１列に配置され（図６（ａ），（ｂ）参照）、男性性器に接触する部分が１２箇所となられたものである。また、前記収納空間８の前方の規制部材６内には案内筒３６が螺合され、この案内筒３６内には後方側から前方側へ順に、当接部材３２が接着され進退移動可能な基板４１と、該基板４１を付勢するコイルばね３８とがそれぞれ挿入されている。
【００６２】
次に、図１０は、第５の使用例に係る射精補助具４０を示し、収納空間８内には、収納空間８の入り口側から前方側へ順に内径及び幅の等しい２個の柔軟接触部材１１Ａ，１１Ａと、弾性接触部材２６と、内径及び幅の等しい２個の柔軟接触部材１１Ｂ，１１Ｂとがそれぞれ配置され、柔軟接触部材１１Ａ，１１Ａの間にはスペーサ２９Ａが、柔軟接触部材１１Ａの前方側と弾性接触部材２６との間にはスペーサ２９Ａが、また、弾性接触部材２６と柔軟接触部材１１Ｂの後方側との間には前記スペーサ２９Ａよりも幅の広いスペーサ２９Ｃがそれぞれ配置されるとともに、内側収納容器５内に螺合された規制部材６の回動による移動調節により隙間Ｓｄが形成されている。これらのうち、４個の柔軟接触部材１１Ａ，１１Ａ，１１Ｂ，１１Ｂの男性性器に接触する柔軟部材１３Ａ，１３Ａ，１３Ｂ，１３Ｂの各内径ｄａ，ｄａ，ｄｂ，ｄｂは、収納空間８の入り口側から前方側へ順にｄａ＝ｄａ＞ｄｂ＝ｄｂでなり、男性性器が挿入方向前方に進むに従い男性性器の亀頭又は陰茎部への接触力が増加されるようになっている。
【００６３】
なお、収納空間８の隙間Ｓｄは、図中の１箇所に図示したが、必ずしも１箇所に形成されるものではなく、複数個所に分散して形成されることもある。また、この収納空間８内の略中央部に配置された弾性接触部材２６は、内周に埋設された１２個の弾性材２３にそれぞれ固定された接触子２４が２列に配置され（図６（ｃ），（ｄ）参照）、男性性器に接触する部分が２４箇所となられたものである。また、前記収納空間８の前方の規制部材６内には案内筒３６が螺合され、この案内筒３６内には後方側から前方側へ順に、当接部材３２が接着され進退移動可能な基板４１と、該基板４１を付勢するコイルばね３８とがそれぞれ挿入されている。
【００６４】
次に、上記構成でなる実施の形態の使用方法及びその作用効果について説明する。なお、以下の説明に際しては、図１及び図２に示す射精補助具１の構成を代表例とし、随時他の例を引用しながら説明する。
【００６５】
この射精補助具１の図１に示す各構成要素を組付ける手順は、まず、図２に示すように、４個の柔軟接触部材１１のそれぞれと、４個のスペーサ２９のそれぞれとを交互に、内側収納容器５の前端面５ｇ側から収納空間８の入り口側へ順に挿入する。次に、弾性接触部材２１を挿入した後、規制部材６を内側収納容器５の前端面５ｇ側から螺合させて挿入し、その第２の筒部６ｃの回動操作により収納空間８内の軸方向の隙間Ｓの量を調整する。次に、基板３１を該基板３１に接着された当接部材３２を収納空間８の入り口側にして、規制部材６内にその第２の筒部６ｃ側から螺合させて挿入し、該基板３１をその操作穴３１ｃの回動操作により軸方向（長手方向）に移動させて、前記当接部材３２の挿入位置を使用者の所望する亀頭の当接位置に調節する。次に、上記４個の柔軟接触部材１１，４個のスペーサ２９，弾性接触部材２１，規制部材６，基板３１及び当接部材３２がそれぞれ収納された内側収納容器５を外側収納容器４の入り口（鍔部４ｄ側）から挿入するとともに、図２に示す掛止溝４ｆに突設片５ｄを掛合させることにより該内側収納容器５は、外側収納容器４から抜け出ることなく掛止され、使用者の男性性器が挿入される準備ができる。なお、前記隙間Ｓは、４個の柔軟接触部材１１と４個のスペーサ２９と１個の弾性接触部材２１との移動量であって、使用者の嗜好に応じて調節する。また、この隙間Ｓは、前記規制部材６の回動操作により所望の隙間Ｓが得られない場合には、後述するように柔軟接触部材１１、スペーサ２９又は弾性接触部材２１の個数を変更するか、又は幅の異なるものを選択すればよい。
【００６６】
そして、図２に示す上記柔軟接触部材１１，弾性接触部材２１，スペーサ２９のそれぞれは、内側収納容器５内に着脱可能に収納されているので、それぞれの配置位置を任意に変更することができるとともに、形状、原料、男性性器が挿入される挿入空間の大きさ等を様々に構成することができる。例えば、図３に示す射精補助具１０のように、弾性接触部材２１に替え弾性接触部材２６に変更することや、図９（ａ）に示す射精補助具２０のように、４個の柔軟接触部材１１に替え内径の異なる４個の柔軟接触部材１１Ａ，１１Ｂ，１１Ｃ，１１Ｃに変更することや、図９（ｂ）に示す射精補助具３０のように、４個の柔軟接触部材１１に替え内径の異なる３個の柔軟接触部材１１Ａ，１１Ｂ，１１Ｃに変更するするとともに、幅の異なる４個のスペーサ２９Ａ，２９Ａ，２９Ａ，２９Ｂに変更することや、図１０に示す射精補助具４０のように、内径の異なる４個の柔軟接触部材１１Ａ，１１Ａ，１１Ｂ，１１Ｂの間に弾性接触部材２６を配置するとともに、幅の異なる３個のスペーサ２９Ａ，２９Ａ，２９Ｃを配置することができる。
【００６７】
すなわち、柔軟接触部材１１，弾性接触部材２１の内周（性器接触部又は性器接触面）が男性性器の亀頭又は陰茎部に接触することにより、該亀頭又は陰茎部が刺激され射精を誘発するばかりでなく、それぞれの配置位置を任意に変更することにより、男性性器が接触する各柔軟接触部材１１の内径、弾性接触部材２１の接触子２４の構成、又は上記各構成要素の配置位置を様々に変更できることから、使用者は、この実施の形態に係る射精補助具を継続して使用しても飽きることなく、長期間に亘って継続して使用することができる。また、上記柔軟接触部材１１，弾性接触部材２１，スペーサ２９は、規制部材６、基板３１、当接部材３２とともに内側収納容器５内から着脱可能でなることから、これらの各部材とともに内側収納容器５内をそれぞれ容易に洗浄することができ、常に清潔な状態で使用することができる。
【００６８】
また、図２に示す収納空間８の軸方向の隙間Ｓは、規制部材６の進退移動により調節するか、又は柔軟接触部材１１，弾性接触部材２１，スペーサ２９等の配置順序、使用個数等を使用者の嗜好に応じて適宜選択的に組み合わせを替えて調節することができるので、飽きることなく長期間に亘って使用することができるとともに、移動量の調節により男性性器のストロークに対応することができ、より射精を誘発することができる。なお、柔軟接触部材１１，弾性接触部材２１は、その移動可能な範囲である隙間Ｓが、男性性器のピストン動作のストローク範囲に亘るものでは射精を誘発することができず、また、微小な移動範囲である場合には、固定状態と同様であることから、隙間Ｓ（移動可能な範囲）は、使用者の嗜好により調節することが望ましい。
【００６９】
さらにまた、上記柔軟接触部材１１，弾性接触部材２１，スペーサ２９のそれぞれは、図２に示す内側収納容器５の収納空間８内において、軸方向に移動自在に収納されているので、男性性器の大きさ状態又は挿入角度などの使用条件により、男性性器のピストン運動に追随して、上記柔軟接触部材１１，弾性接触部材２１のうちの全部が移動する場合もあれば、一部のみが移動する場合もある。したがって、男性性器の大きさ状態又は挿入角度などにより、使用の度において一定とはならず常に異なった状態で男性性器に接触することとなるから、使用者が継続して使用しても飽きが生ずることなく長期間に亘って使用することができる。なお、柔軟接触部材１１、弾性接触部材２１の移動範囲は、男性性器のピストン運動のストローク長よりも短い長さにする必要がある。また、上記柔軟接触部材１１，弾性接触部材２１，スペーサ２９のそれぞれは、内側収納容器５内に着脱可能かつ軸方向に移動自在に収納されているので、収納空間８内に収納された全ての柔軟接触部材１１及び弾性接触部材２１と全てのスペーサ２９とが一体的に、又は単一又は複数の柔軟接触部材１１及び／又は弾性接触部材２１が、若しくは該単一又は複数の柔軟接触部材１１及び／又は弾性接触部材２１が単一又は複数のスペーサ２９と一体的に、該柔軟接触部材１１、弾性接触部材２１及びスペーサ２９の内側に挿入された男性性器のピストン運動に追随して、内側収納容器５の長さ方向に移動可能となり射精をより一層誘発することができる。
【００７０】
さらにまた、図２に示す柔軟接触部材１１の柔軟部材１３の内側には、図５（ｂ）に示すように、男性性器が挿入される挿入空間１７が形成されてなることから、男性性器に損傷を与えることなく射精を誘発することができる。そして、上記男性性器に接触する性器接触部が形成されている柔軟部材１３は、樹脂により枠状に成形された装着リング１２の内周面に固定され、さらに、この装着リング１２は、上記内側収納容器５内に収納されていることから、可能な限り柔軟性の高い材料を使用するとともに、保形性をも維持するというあい反する問題を解決し、より良好な使用状態とすることができる。また、使用者は使用中に上記柔軟部材１３に触れる必要性はないとともに、組付け作業時においても組付けが容易に行うことができ、さらには組付け状態も保持することができ、極めて簡便に取り扱うことができる。また、図５（ｂ），（ｃ）に示す柔軟部材１３は、図５（ａ）に示す上記板状の基材１４と、この基材１４の側面に溶着された上記袋体１５と、この袋体１５内に封入されたゲル状のゲル状材１６とからなる直方体に成形した後、この直方体を図５（ｂ），（ｃ）に示すように、基材１４を外側にして円弧状に湾曲して上記装着リング１２の内周面１２ａにそれぞれ接着されている。したがって、袋体１５の表面には多数の皺（符号は省略する）が形成され、柔軟部材１３の挿入空間１７に挿入された男性性器の亀頭又は陰茎部には、袋体１５に形成された多数の皺を介して形成された凹凸部により、柔らかい刺激が付与され射精を誘発させることができる。また、ゲル状材１６は、袋体１５内に封入されていることから、該ゲル状材１６の形状が保形され取扱いが簡便となる。
【００７１】
さらにまた、男性性器の亀頭や陰茎部に接触する弾性接触部材２１（図２参照）は、図６（ａ），（ｂ）に示すように、装着リング２２と、この装着リング２２の内周面に基端が固定された弾性材２３と、この弾性材２３の先端に固定された接触子２４とを備え、この接触子２４が、男性性器の亀頭又は陰茎部に接触する。したがって、この弾性接触部材２１は、各接触子２４が各弾性材２３の弾性作用によりそれぞれ揺動可能であることから、男性性器が性器接触面と接触しても該男性性器に損傷を与えることがないとともに、男性性器の位置や大きさ又は方向性により、常に同じ感触・状態となることは少ないため、使用者が継続して使用しても飽きることなく、長期間に亘って継続して使用することができる。また、この弾性接触部材２１は、弾性材２３が植設穴（凹部）２２ｂ内に植設され、該弾性材２３の弾性作用が規制されないことから、弾性範囲が広いとともに、円滑に弾性運動がなされて亀頭又は陰茎部が刺激され射精を誘発することができる。
【００７２】
また、１２個の弾性材２３の先端に固定された１２個の接触子２４の内側には、該接触子２４の先端により男性性器が挿入される挿入空間２５が形成されていることから、該挿入空間２５内に男性性器が挿入されると、弾性接触部材２１が内側収納容器５の手前側に配置されている場合には、先ず亀頭の先端又はその近傍が接触子２４に接触するとともに、さらに男性性器が内部に挿入されると、該接触子２４の先端が亀頭に摺接し、さらに内部に挿入されると、陰茎部の周面に接触・摺接する。また、この弾性接触部材２１が、男性性器の挿入方向の前方に配置された場合には、陰茎部には接触・摺接することなく亀頭にのみ接触・摺接される。そして、こうした弾性接触部材２１の配置位置に限らず、上記各接触子２４は、上記弾性材２３の弾性作用により任意の方向に弾性変形し、男性性器の位置や大きさ又は方向性により、常に同じ感触・状態となることは少なく様々な動きを実現することができる。したがって、使用者が継続して使用しても飽きが生ずることなく、長期間に亘って継続して使用することができる。また、複数（１２個）の接触子２４が配置されていることから、多数の接触部の刺激により、より一層射精を誘発する。また、上記弾性接触部材２１の他の例に係る弾性接触部材２６は、上記弾性接触部材２１の１２個の弾性材２３と１２個の接触子２４とが、装着リング２７の幅方向に２列（多重）に配置されたものであり、男性性器に接触する部分が増加されたものであることから、さらに一層射精を誘発することができる。なお、上記弾性材２３は、少なくとも接触子２４が男性性器に接触することにより弾性作用を備えた部材であれば、その材料や形状は勿論長さや数も限定されるものではない。
【００７３】
さらにまた、男性性器の亀頭先端部が接触する当接部材３２（図２参照）は、柔軟性を有する素材により成形されてなることから、予め調節された位置において、内側収納容器５内に挿入された男性性器の亀頭の先端部が当接すると、その当接力により柔軟に変形し、より射精を誘発するとともに、亀頭に損傷を与える危険性もない。また、当接部材３２は半球体に成形されているので、亀頭の接触位置は該亀頭の先端部に限定されることなく先端近傍の側部にも接触され、多様な刺激を得ることができるのでさらに射精を誘発させることができる。また、ゲル状材３４は、図７（ｂ）に示す袋体３３内に封入されていることから、該ゲル状材３４の形状が保形され取扱いが簡便となるとともに、より弾力性に富み、射精を誘発することができる。また、男性性器の亀頭には、この基板３１に接着された当接部材３２ばかりではなく、上記収納空間８内に収納された柔軟接触部材１１及び弾性接触部材２１（又は弾性接触部材２６）も接触するので、相乗効果によりさらに射精を誘発させることができる。また、当接部材３２が接着される基板３１は、図２に示すように規制部材６内に螺合され、該基板３１の操作穴３１ｃに手指の先端を係合して回動させることにより前進又は後退（螺進又は螺退）させて、使用者の所望する軸方向（長手方向）に移動調節することができる。したがって、使用者の男性性器の長さに対応して前記亀頭の先端が当接部材３２に当接する際の位置及び当接力を調節することができるとともに、従来の射精補助具よりもさらに射精を誘発することができる。
【００７４】
また、基板４１は、該基板４１のばね挿入穴４１ａ（図８（ｄ）参照）側に配置されたコイルばね３８により、男性性器の挿入方向とは逆方向に付勢されているので、内側収納容器５内に挿入された男性性器の亀頭の先端が当接すると、その当接力により該当接部材３２は柔軟に変形し、前記亀頭がさらに前進すると、該当接部材３２は、コイルばね３８の弾性力に抗して前記亀頭に接触した状態を維持しながら前進するとともに、前記亀頭が後退する場合にも、前記亀頭に接触した状態を維持しながら後退することができる。こうした動作をする場合には、前記亀頭が上記当接部材３２に当接した際に使用者が受ける感触よりもやや強い感触を覚え、より射精を誘発することができる。さらに、こうした構成を採用することにより、急激に男性性器を挿入することにより亀頭が損傷される危険性も防止することができる。また、前記亀頭の先端が当接部材３２に当接するまでの距離（図３に示す射精補助具１０の入り口から当接部材３２までの距離）は、案内筒３６の操作穴３６ｇに手指の先端を係合して回動させることにより該案内筒３６を前進又は後退させて、使用者の所望する位置に調節することができる。
【００７５】
なお、上記構成でなる射精補助具１，１０，２０，３０又は４０は、人形又はその一部の局部Ｙに収容され又は独立して使用されるものであるが、人形又はその一部の局部Ｙに収容して使用する場合には、図２，図３，図９又は図１０に示すように、図示しない人形又はその一部の局部Ｙに形成された収容凹部Ｙａ内に外側収納容器４を挿入し固定した状態で使用することができる。また、内側収納容器５の後方端（入り口側）に位置するフランジ部５ｂ端面には、男性性器が挿入可能なスリットＦａが形成されてなる女性の局所を模した蓋部材Ｆを貼付しても良い。また、上記各実施の形態に係る射精補助具の使用に際しては、男性性器が接触する部位に図示しない潤滑剤を塗布することにより、射精をより一層誘発することができる。また、コンドームを併用することにより、射精補助具内の洗浄を簡素化することができる。
【００７６】
なお、外側収納容器４及び内側収納容器５は本発明の収納容器を構成し、柔軟接触部材１１，１１Ａ，１１Ｂ，１１Ｃ及び弾性接触部材２１，２６は本発明の性器接触部材であり、装着リング１２及び装着リング２２，２７は本発明の枠部材である。
【図面の簡単な説明】
【００７７】
【図１】本発明に係る射精補助具の実施の形態を示す分解斜視図である。
【図２】本発明に係る射精補助具の実施の形態を示す断面図である。
【図３】本発明に係る射精補助具の他の実施の形態を示す断面図である。
【図４】本発明に係る射精補助具の実施の形態の構成要素を示し、（ａ）は外側収納容器、（ｂ）は内側収納容器、（ｃ）は規制部材を示す断面図である。
【図５】本発明に係る射精補助具の実施の形態の柔軟接触部材を示し、（ａ）は柔軟接触部材を構成する柔軟部材の断面図、（ｂ）は柔軟接触部材の正面図、（ｃ）は柔軟接触部材の断面図である。
【図６】本発明に係る射精補助具の実施の形態の弾性接触部材を示し、（ａ）は１列の弾性接触部材の正面図、（ｂ）は同じく断面図、（ｃ）は２列の弾性接触部材の正面図、（ｄ）は同じく断面図である。
【図７】本発明に係る射精補助具の実施の形態の基板及び当接部材を示し、（ａ）は正面図、（ｂ）断面図である。
【図８】本発明に係る射精補助具の実施の形態の構成要素を示し、（ａ）は案内筒の断面図、（ｂ）は同じく正面図、（ｃ）はコイルばねの側面図、（ｄ）は基板及び当接部材の断面図である。
【図９】本発明に係る射精補助具の他の実施の形態を示し、（ａ）は第３の使用例、（ｂ）は第４の使用例を示す断面図である。
【図１０】本発明に係る射精補助具の他の実施の形態を示し、第５の使用例を示す断面図である。
【符号の説明】
【００７８】
１，１０，２０，３０，４０  射精補助具
４  外側収納容器
５  内側収納容器
６  規制部材
８  収納空間
１１  柔軟接触部材
１２，２２，２７  装着リング
１３  柔軟部材
１４  基材
１５  袋体
１６，３４  ゲル状材
１７  挿入空間
２１，２６  弾性接触部材
２３  弾性材
２４  接触子
２５，２８  挿入空間
２９  スペーサ
３１，４１  基板
３２  当接部材
３３  袋体
【図１】
2010119474.tif 000003
【図２】
2010119474.tif 000004
【図３】
2010119474.tif 000005
【図４】
2010119474.tif 000006
【図５】
2010119474.tif 000007
【図６】
2010119474.tif 000008
【図７】
2010119474.tif 000009
【図８】
2010119474.tif 000010
【図９】
2010119474.tif 000011
【図１０】
2010119474.tif 000012